(57)【要約】      （修正有）【課題】温熱効果と指圧効果に優れた厚手のふとんを提供する。【解決手段】表層部と、裏層部と、表層部と裏層部の間に介在する高密度硬質凹凸ウレタンとからなる。表層部と裏層部は、各々４層からなり、キルティング加工が施され、周囲を縫い合わせる。高密度硬質ウレタンは、表面に多数の凹凸形状を有する。【選択図】図１
0003160318.tif 000002
【実用新案登録請求の範囲】
【請求項１】
不織布の第１層と、この第１層の上部に重ねた、遠赤外線を放射するプラチナ繊維糸を織り込んだ布にセラミックス粉末をコーティングした布から成る第２層と、この第２層の上部に重ねた、ポリエステルにセラミックス粉末を練り込んで加工した綿から成る第３層と、この第３層の上部に重ねた、表の側布に前記遠赤外線を放射するプラチナ繊維糸を織り込んだ布から成る第４層とを有する表層部と、
この表層部に対向して、裏面側から順次、木綿の側布から成る第１層と、この第１層の上部に、遠赤外線を放射する備長炭を練り込んで加工した綿から成る第２層と、この第２層の上部に重ねた、木綿綿から成る第３層と、この第３層の上部に重ねた、吸湿性及び通気性の良い薄いタオル地から成る第４層とを有する裏層部とを設け、前記表層部と前記裏面部はキルティング加工を施すとともに、前記表層部と前記裏層部の周囲を縫い合わせて仕上げたことを特徴とする指圧ふとん。
【請求項２】
前記高密度硬質凹凸ウレタンに凹凸の谷間に通気性を良好するための多数の穴を設けたことを特徴とする請求項１に記載の指圧ふとん。
【請求項３】
前記高密度硬質凹凸ウレタンの裏面側は平面であることを特徴とする請求項１に記載の指圧ふとん。
【考案の詳細な説明】
【技術分野】
【０００１】  本考案は、温熱効果と指圧効果のあるふとん、特に敷きふとんの構造に関するものである。
【背景技術】
【０００２】  天然繊維に赤外線を発生する物質、例えばセラミックスを添加した繊維自体は例えば特許文献１に開示されている。またかかる赤外線放射材セラミックスの粉末を配合定着させたポリエステル綿を封入した寝具も例えば特許文献２、３に開示されている。さらに遠赤外線物質がセラミックスであってこれを複数層とした、いわゆる多層ふとんについても特許文献４に開示されている。
【先行技術文献】
【特許文献】
【０００３】
【特許文献１】特開平７−１０９６６８号公報
【特許文献２】登録実用新案第３０２５２１２３号公報
【特許文献３】特開平９−１２１９９６号公報
【特許文献４】特開平９−１６４０５１号公報
【考案の概要】
【考案が解決しようとする課題】
【０００４】  上記した公報には、遠赤外線を発生するセラミックスを繊維自体に織り込んだり、その繊維を利用して寝具としたもの、さらに遠赤外線効果を期待した多層ふとんの構造が開示されている。しかしながらいずれも遠赤外線の放射効率が低く、微弱であるため、温熱効果が十分でないとともに指圧効果が期待できない難点を有する。
本考案は、上記の点に鑑みてなされたもので、温熱効果が高くかつ硬質凹凸ウレタンの効果で指圧効果のあるふとん、特に敷きふとんを提供することを目的とするものである。
【課題を解決するための手段】
【０００５】  請求項１に記載の指圧ふとんは、不織布の第１層と、この第１層の上部に重ねた、遠赤外線を放射するプラチナ繊維糸を織り込んだ布にセラミックス粉末をコーティングした布から成る第２層と、この第２層の上部に重ねた、ポリエステルにセラミックス粉末を練り込んで加工した綿から成る第３層と、この第３層の上部に重ねた、表の側布に前記遠赤外線を放射するプラチナ繊維糸を織り込んだ布から成る第４層とを有する表層部と、
この表層部に対向して、裏面側から順次、木綿の側布から成る第１層と、この第１層の上部に、遠赤外線を放射する備長炭を練り込んで加工した綿から成る第２層と、この第２層の上部に重ねた、木綿綿から成る第３層と、この第３層の上部に重ねた、吸湿性及び通気性の良い薄いタオル地から成る第４層とを有する裏層部とを設け、前記表層部と前記裏面部はキルティング加工を施すとともに、前記表層部と前記裏層部の周囲を縫い合わせて仕上げたことを特徴とする。【０００６】  請求項２に記載の指圧津ふとんは、前記高密度硬質凹凸ウレタンに凹凸の谷間に通気性を良好するための多数の穴を設けたことを特徴とする。【０００７】  請求項３に記載の指圧ふとんは、前記高密度硬質凹凸ウレタンの裏面側は平面であることを特徴とする。
【考案の効果】
【０００８】  本考案の指圧ふとんは、表層部及び裏層部で合計８層から成り、各層の大部分に遠赤外線を含む放射材の粉末を練り込んだ繊維糸を使用したり、わたに練り込んだりしたので、遠赤外線による温熱効果が十分発揮される。また当該表層部と裏層部の間に多数の凹凸を有する高密度硬質凹凸ウレタンを介在させたので、体圧を分散させ安定した寝姿勢を保ち、睡眠中にやさしい温もりが血行を促進させ、かつ指圧効果が得られ、疲労回復に顕著な効果がある。【０００９】  さらに使用者が寝返りをするたびに人体に当たる硬質ウレタンの凹凸箇所が変わり、筋肉をほごし疲れを取り、肩凝り、筋肉痛、腰痛、及び疲労回復の効果がさらにいっそう得られる。特に表面と裏面にが異なる効果があるのも特徴である。
【図面の簡単な説明】
【００１０】
【図１】本考案の指圧ふとんの断面図である。
【図２】本考案の指圧ふとんの一部を欠いた斜視図である。
【考案を実施するための形態】
【００１１】  本考案の指圧ふとんは、人体に接する表層部側を４層構造とし、また床面等に接する裏層部側も４層構造とし、かつ、上記表層部と裏層部との間に、指圧効果のある多数の凹凸を有する、高密度の硬質凹凸ウレタンを介在させた構造とする。
【実施例】
【００１２】  以下に、考案の実施例を、図を参照して詳細に説明する。
図１は本考案の指圧ふとんの断面図、図２は同じくその一部を切り欠いた指圧ふとんの斜視図である。
これらの図において、Ｆは指圧ふとんの全体を示す。そして、指圧ふとんＦの構成は、概略以下の構成なっている。【００１３】  すなわち、指圧ふとんＦの表層部は、第１層としての不織布１の上部に遠赤外線を含むプラチナ繊維糸を織り込んだ布にセラミックスの粉末をコーティングした布を第２層として重ね、該布２の上部に、第３層としてポリエステルにセラミックスを練り込んだわた３を重ね、第４層として、セラミックスを練り込んで加工した繊維糸を織り込んだ布４を重ねて合計４層とした。【００１４】  次に、指圧ふとんＦの裏層部は、第１層としての木綿の側布５の上部に第２層として放射材を含む備長炭の粉末を練り込んで加工した、わた６を重ね第３層して保温と吸湿性ある天然素材の木綿わた７を重ねる。第４層は汗を吸収し通気性の良い薄地のタオル８を重ね合わせて合計４層から成る裏層部とする。【００１５】  前記表層部と前記裏面部の間には、多数の凹凸を有する高密度硬質凹凸ウレタン９を介在させる。この高密度硬質凹凸ウレタン９の凹凸の谷間には通気性を良好にするための無数の穴が設けてある。さらに、前記表層部及び裏層部は、それらに内臓されたわた３，７の型崩れを防止するために、図２に示すようにキルティング加工１０が施されるとともに、表層部及び裏層部の周囲は、一体的に縫い合わせられ、本考案の指圧ふとんＦを完成する。
【符号の説明】
【００１６】１      不織布
２      プラチナ繊維を織り込んだ布にセラミックスの粉末をケーティングした布
３      ポリエステルにセラミックスを練り込んだ加工したわた
４      ポリエステルにセラミックスを練り込んで加工した繊維糸を織り込んだ表面の側布
５      木綿の裏面の側布
６      放射材を含む備長炭の粉末を練り込んで加工したわた
７      保温と吸湿性の良い天然素材の木綿わた
８      汗を吸収し通気性の良い薄地のタオルの布
９      高密度硬質凹凸ウレタン
１０    キルティング
Ｆ      指圧ふとんの全体
【図１】
0003160318.tif 000003
【図２】
0003160318.tif 000004
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
不織布の第１層と、この第１層の上部に重ねた、遠赤外線を放射するプラチナ繊維糸を織り込んだ布にセラミックス粉末をコーティングした布から成る第２層と、この第２層の上部に重ねた、ポリエステルにセラミックス粉末を練り込んで加工した綿から成る第３層と、この第３層の上部に重ねた、表の側布に前記遠赤外線を放射するプラチナ繊維糸を織り込んだ布から成る第４層とを有する表層部と、
この表層部に対向して、裏面側から順次、木綿の側布から成る第１層と、この第１層の上部に、遠赤外線を放射する備長炭を練り込んで加工した綿から成る第２層と、この第２層の上部に重ねた、木綿わたから成る第３層と、この第３層の上部に重ねた、吸湿性及び通気性の良い薄いタオル地から成る第４層とを有する裏層部と、
前記表層部と前記裏層部の間に介在させた、その表面に多数の凹凸形状を有する高密度硬質凹凸ウレタンと、
から成り、前記表層部と前記裏層部はキルティング加工を施すとともに、前記表層部と前記裏層部の周囲を縫い合わせて仕上げたことを特徴とする指圧ふとん。
【請求項２】
前記高密度硬質凹凸ウレタンの、その凹凸形状の谷間に通気性を良好にするための多数の穴を設けたことを特徴とする請求項１に記載の指圧ふとん。
【請求項３】
前記高密度硬質凹凸ウレタンの裏面側は平面であることを特徴とする請求項１に記載の指圧ふとん。
【手続補正２】
【補正対象書類名】明細書
【補正対象項目名】０００５
【補正方法】変更
【補正の内容】
【０００５】  請求項１に記載の指圧ふとんは、不織布の第１層と、この第１層の上部に重ねた、遠赤外線を放射するプラチナ繊維糸を織り込んだ布にセラミックス粉末をコーティングした布から成る第２層と、この第２層の上部に重ねた、ポリエステルにセラミックス粉末を練り込んで加工した綿から成る第３層と、この第３層の上部に重ねた、表の側布に前記遠赤外線を放射するプラチナ繊維糸を織り込んだ布から成る第４層とを有する表層部と、
この表層部に対向して、裏面側から順次、木綿の側布から成る第１層と、この第１層の上部に、遠赤外線を放射する備長炭を練り込んで加工した綿から成る第２層と、この第２層の上部に重ねた、木綿わたから成る第３層と、この第３層の上部に重ねた、吸湿性及び通気性の良い薄いタオル地から成る第４層とを有する裏層部と、
前記表層部と前記裏層部の間に介在させた、その表面に多数の凹凸形状を有する高密度硬質凹凸ウレタンと、
から成り、前記表層部と前記裏層部はキルティング加工を施すとともに、前記表層部と前記裏層部の周囲を縫い合わせて仕上げたことを特徴とする。
【手続補正３】
【補正対象書類名】明細書
【補正対象項目名】０００６
【補正方法】変更
【補正の内容】
【０００６】  請求項２に記載の指圧ふとんは、前記高密度硬質凹凸ウレタンの、その凹凸形状の谷間に通気性を良好にするための多数の穴を設けたことを特徴とする。
【手続補正４】
【補正対象書類名】明細書
【補正対象項目名】００１１
【補正方法】変更
【補正の内容】
【００１１】  本考案の指圧ふとんは、人体に接する表層部側を４層構造とし、また床面等に接する裏層部側も４層構造とし、かつ、上記表層部と裏層部との間に、指圧効果のある多数の凹凸形状を有する、高密度の硬質凹凸ウレタンを介在させた構造とする。
【手続補正５】
【補正対象書類名】明細書
【補正対象項目名】００１２
【補正方法】変更
【補正の内容】
【００１２】  以下に、本考案の実施例を、図を参照して詳細に説明する。
図１は本考案の指圧ふとんの断面図、第２図は同じくその一部を切り欠いた指圧ふとんの斜視図である。
これらの図において、Ｆは指圧ふとんの全体を示す。そして、指圧ふとんＦの構成は概略以下の構成となっている。
【手続補正６】
【補正対象書類名】明細書
【補正対象項目名】００１５
【補正方法】変更
【補正の内容】
【００１５】  前記表層部と裏層部の間には、多数の凹凸形状を有する高密度硬質凹凸ウレタン９を介在させる。この高密度硬質凹凸ウレタン９の凹凸形状の谷間には通気性を良好にするための無数の穴が設けてある。さらに、前記表層部及び裏層部は、それらに内蔵されたわた３，７の型崩れを防止するために、図２に示すようにキルティング加工１０が施されるとともに、前記表層部及び裏層部の周囲は、一体的に縫い合わせられ、本考案の指圧ふとんＦを完成する。
【手続補正７】
【補正対象書類名】明細書
【補正対象項目名】００１６
【補正方法】変更
【補正の内容】
【００１６】１      不織布
２      プラチナ繊維を織り込んだ布にセラミックスの粉末をコーティングした布
３      ポリエステルにセラミックスを練り込んで加工したわた
４      ポリエステルにセラミックスを練り込んで加工した繊維糸を織り込んで成る表面の側布
５      木綿から成る裏面の側布
６      放射材を含む備長炭の粉末を練り込んで加工したわた
７      保温と吸湿性の良い天然素材の木綿わた
８      汗を吸収し通気性の良い薄地のタオルから成る布
９      高密度硬質凹凸ウレタン
１０    キルティング
Ｆ      指圧ふとんの全体